(57)【要約】【課題】  コモンモードチョークコイルを組み込んだとしても、フレキシブルケーブルのフレキシブル性を損なうことなく、かつ、フレキシブルケーブルのインピーダンス整合性を保つことが可能なコネクタ付フレキシブルケーブルを提供する。【解決手段】  コネクタ付フレキシブルケーブル１は、可撓性を有するフレキシブルケーブル４と、その端部に取付けられたコネクタ３０とを備える。フレキシブルケーブル４は、一対のＤ１＋信号線２１及びＤ１−信号線２２からなる差動伝送路２０と、Ｄ１＋信号線２１と直列に接続される第１コイル１１と、Ｄ１−信号線２２と直列に接続される第２コイル１２とを有する。コネクタ３０は、第１コイル１１及び第２コイル１２をフレキシブルケーブル４の積層方向から挟んで覆う磁性部材１６を有する。第１コイル１１、第２コイル１２、及び磁性部材１６により、コモンモードチョークコイル６が構成される。【選択図】  図１
2014143233.tif 000002
【特許請求の範囲】
【請求項１】
可撓性を有するフレキシブルケーブルと、該フレキシブルケーブルの端部に取付けられたコネクタと、を備えるコネクタ付フレキシブルケーブルにおいて、
前記フレキシブルケーブルは、
可撓性を有する絶縁層と、
前記絶縁層上に形成された一対の第１線路及び第２線路を含む伝送路と、
前記絶縁層上に設けられ、前記第１線路に直列に接続された第１コイルと、
前記絶縁層上に設けられ、前記第２線路に直列に接続された第２コイルと、を有し、
前記コネクタは、
前記第１コイル及び前記第２コイルを、前記フレキシブルケーブルの厚さ方向から挟んで覆うように配設された磁性部材を有し、
前記第１コイル及び前記第２コイルそれぞれは、コモンモード電流が流れた場合に、前記磁性部材により形成される磁路に、互いに強め合う方向に磁束を発生するように設けられていることを特徴とするコネクタ付フレキシブルケーブル。
【請求項２】
前記フレキシブルケーブルは、積層された複数の絶縁層を有し、
前記第１コイルは、前記複数の絶縁層に含まれる一の絶縁層上に形成され、
前記第２コイルは、前記フレキシブルケーブルの積層方向から見た場合に、前記第１コイルと同一方向に巻回され、かつ、前記第１コイルと重なるように、前記一の絶縁層に積層された他の絶縁層上に形成されていることを特徴とする請求項１に記載のコネクタ付フレキシブルケーブル。
【請求項３】
前記磁性部材は、前記コネクタ内に互いに対向して配設され、前記第１コイル及び第２コイルを前記フレキシブルケーブルの厚さ方向から挟んで覆う一対の板状の磁性部材からなることを特徴とする請求項１又は２に記載のコネクタ付フレキシブルケーブル。
【請求項４】
前記フレキシブルケーブルは、前記第１コイル及び第２コイルが直列に接続された複数の前記伝送路を有し、
前記一対の板状の磁性部材は、前記複数の伝送路が有する複数の前記第１コイル及び第２コイルを挟んで覆うことを特徴とする請求項３に記載のコネクタ付フレキシブルケーブル。
【請求項５】
前記コネクタは、前記一対の板状の磁性部材のうちの少なくとも一方の磁性部材を、他方の磁性部材に向けて付勢する弾性部材をさらに備えることを特徴とする請求項３又は４に記載のコネクタ付フレキシブルケーブル。
【請求項６】
前記コネクタは、前記伝送路に含まれる前記第１線路及び前記第２線路それぞれと電気的に接続される端子を有し、
前記端子それぞれは、弾性を有するように形成されており、前記第１線路及び前記第２線路それぞれに押接されていることを特徴とする請求項１〜５のいずれか１項に記載のコネクタ付フレキシブルケーブル。
【請求項７】
前記伝送路は、差動伝送路であることを特徴とする請求項１〜６のいずれか１項に記載のコネクタ付フレキシブルケーブル。
【発明の詳細な説明】
【技術分野】
【０００１】
本発明は、コネクタ付フレキシブルケーブルに関する。
【背景技術】
【０００２】
従来から、例えば、本体部（操作部）とＬＣＤパネル等の表示部とを折り畳み可能な携帯端末やノート型のパーソナルコンピュータ等では、表示部の開閉動作に追従させるために、折り曲げ可能なフレキシブルケーブルを用いて、本体部と表示部とを電気的に接続する構成が用いられている。
【０００３】
ここで、特許文献１には、ＬＣＤパネルと、ＬＣＤ駆動回路が実装された基板との間を、コモンモードフィルタが取り付けられた平衡伝送線路で接続する技術が開示されている。この平衡伝送線路は、フレキシブル基板と、該フレキシブル基板上に形成された一対の伝送線路と、該一対の伝送線路に取り付けられたチップ型のコモンモードフィルタ（コモンモードチョークコイル）とを有して構成されている。
【０００４】
この平衡伝送線路によれば、フレキシブル基板上に形成された伝送線路に取り付けられたコモンモードフィルタによって平衡伝送線路上を伝わるコモンモード成分が除去され、コモンモードノイズの放射が低減される。
【先行技術文献】
【特許文献】
【０００５】
【特許文献１】特開平１０−２７１０４８号公報
【発明の概要】
【発明が解決しようとする課題】
【０００６】
しかしながら、上述した平衡伝送線路では、チップ型のコモンモードフィルタをフレキシブル基板上に実装するために、複数のランドをフレキシブル基板の表面に形成する必要がある。そのため、これらのランドによって、フレキシブル基板側（平衡伝送線路）とＬＣＤ駆動回路が実装された基板側とのインピーダンスの整合が崩れるおそれがある。また、チップ型のコモンモードフィルタがフレキシブル基板に固着実装されているため、フレキシブル基板のフレキシブル性が損なわれるおそれがある。
【０００７】
本発明は、上記問題点を解消する為になされたものであり、コモンモードチョークコイルを組み込んだとしても、フレキシブルケーブルのフレキシブル性を損なうことなく、かつ、フレキシブルケーブルのインピーダンス整合性を保つことが可能なコネクタ付フレキシブルケーブルを提供することを目的とする。
【課題を解決するための手段】
【０００８】
本発明に係るコネクタ付フレキシブルケーブルは、可撓性を有するフレキシブルケーブルと、フレキシブルケーブルの端部に取付けられたコネクタとを備えるコネクタ付フレキシブルケーブルにおいて、上記フレキシブルケーブルが、可撓性を有する絶縁層と、絶縁層上に形成された一対の第１線路及び第２線路を含む伝送路と、絶縁層上に設けられ、第１線路に直列に接続された第１コイルと、絶縁層上に設けられ、第２線路に直列に接続された第２コイルとを有し、上記コネクタが、第１コイル及び第２コイルを、フレキシブルケーブルの厚さ方向から挟んで覆うように配設された磁性部材を有し、第１コイル及び第２コイルそれぞれが、コモンモード電流が流れた場合に、磁性部材により形成される磁路に、互いに強め合う方向に磁束を発生するように設けられていることを特徴とする。
【０００９】
本発明に係るコネクタ付フレキシブルケーブルによれば、第１コイル及び第２コイルにコモンモード電流が流れた場合に、磁性部材により形成される閉磁路に、互いに強め合う方向に磁束が発生する。すなわち、コネクタが有する磁性部材によって、第１コイル及び第２コイルが挟まれることにより、コモンモードチョークコイルが形成される。このように、フレキシブルケーブルの端部に取り付けられるコネクタ部においてコモンモードチョークコイルが構成されるため、フレキシブルケーブルの屈曲部分には、ランドを形成してコモンモードチョークコイルを実装する必要がない。その結果、フレキシブルケーブルのフレキシブル性を損なうことなく、かつ、フレキシブルケーブルのインピーダンス整合性を保つことが可能となる。
【００１０】
本発明に係るコネクタ付フレキシブルケーブルでは、フレキシブルケーブルが、積層された複数の絶縁層を有し、第１コイルが、複数の絶縁層に含まれる一の絶縁層上に形成され、第２コイルが、フレキシブルケーブルの積層方向から見た場合に、第１コイルと同一方向に巻回され、かつ、第１コイルと重なるように、一の絶縁層に積層された他の絶縁層上に形成されていることが好ましい。
【００１１】
このようにすれば、フレキシブルケーブルの積層方向から見た場合に、第１コイルと第２コイルとが重なるように積層されるため、コモンモード電流が流れた場合に、第１コイル及び第２コイルそれぞれに発生する磁束が効果的に強め合うこととなり、コモンモード成分をより低減することができる。また、コモンモードチョークコイルをコンパクトに形成することができる。
【００１２】
本発明に係るコネクタ付フレキシブルケーブルでは、磁性部材が、コネクタ内に互いに対向して配設され、第１コイル及び第２コイルをフレキシブルケーブルの厚さ方向から挟んで覆う一対の板状の磁性部材からなることが好ましい。
【００１３】
この場合、コネクタ内に対向して配設された一対の板状の磁性部材によって、第１コイル及び第２コイルがフレキシブルケーブルの厚さ方向から挟まれることにより、コネクタ内にコモンモードチョークコイルが形成される。そのため、コモンモードチョークコイルが内部に形成されたコネクタをより薄型化することができる。
【００１４】
本発明に係るコネクタ付フレキシブルケーブルでは、フレキシブルケーブルが、第１コイル及び第２コイルが直列に接続された複数の伝送路を有し、一対の板状の磁性部材が、複数の伝送路が有する複数の第１コイル及び第２コイルを挟んで覆うことが好ましい。
【００１５】
このようにすれば、複数の伝送路が有する複数の第１コイル及び第２コイルを、一対の板状の磁性部材からなる単一の磁性部材で挟んで覆うことができる。よって、複数のコモンモードチョークコイルを形成する場合であっても、コネクタの構造をシンプルにすることが可能となる。
【００１６】
本発明に係るコネクタ付フレキシブルケーブルでは、コネクタが、一対の板状の磁性部材のうちの少なくとも一方の磁性部材を、他方の磁性部材に向けて付勢する弾性部材をさらに備えることが好ましい。
【００１７】
この場合、コネクタが有する弾性部材により、少なくとも一方の磁性部材が、他方の磁性部材に向けて付勢されるため、一対の磁性部材間の隙間を小さくして互いに密着させることができる。そのため、実効透磁率を高めることができ、安定した閉磁路を形成することができる。よって、コモンモード成分の除去特性をより向上させることが可能となる。
【００１８】
本発明に係るコネクタ付フレキシブルケーブルでは、コネクタが、伝送路に含まれる第１線路及び第２線路それぞれと電気的に接続される端子を有し、端子それぞれが、弾性を有するように形成されており、第１線路及び第２線路それぞれに押接されていることが好ましい。
【００１９】
この場合、複数の端子それぞれが、弾性を有し、伝送路を構成する第１線路及び第２線路それぞれに押接される。よって、フレキシブルケーブルに形成された第１線路及び第２線路それぞれとコネクタの端子とを、より確実に電気的に接続することができる。
【００２０】
なお、本発明に係るコネクタ付フレキシブルケーブルは、上記伝送路が差動伝送路であるフレキシブルケーブルに好適に適用することができる。
【発明の効果】
【００２１】
本発明によれば、コモンモードチョークコイルを組み込んだとしても、フレキシブルケーブルのフレキシブル性を損なうことなく、かつ、フレキシブルケーブルのインピーダンス整合性を保つことが可能となる。
【図面の簡単な説明】
【００２２】
【図１】実施形態に係るコネクタ付フレキシブルケーブルの構成を示す平面図である。
【図２】実施形態に係るコネクタ付フレキシブルケーブル（コネクタ装着前）を側面方向から見た断面図である。
【図３】実施形態に係るコネクタ付フレキシブルケーブル（コネクタ装着後）を側面方向から見た断面図である。
【図４】実施形態に係るコネクタ付フレキシブルケーブルを構成するコモンモードチョークコイルの構成を示す分解斜視図である。
【発明を実施するための形態】
【００２３】
以下、図面を参照して本発明の好適な実施形態について詳細に説明する。なお、各図において、同一要素には同一符号を付して重複する説明を省略する。
【００２４】
まず、図１〜図４を併せて用いて、実施形態に係るコネクタ付フレキシブルケーブル１の構成について説明する。図１は、コネクタ付フレキシブルケーブル１の構成を示す平面図である。図２及び図３は、コネクタ付フレキシブルケーブル１を側面方向から見た断面図であり、それぞれコネクタ３０の装着前と装着後を示す図である。図４は、コネクタ付フレキシブルケーブル１を構成するコモンモードチョークコイル６，８の構成を示す分解斜視図である。
【００２５】
図１に示されるように、コネクタ付フレキシブルケーブル１は、フレキシブルケーブル４と、フレキシブルケーブル４の両端に装着されたコネクタ３０と、コネクタ３０内で構成されたコモンモードチョークコイル６，８とを備えている。なお、図１では、コネクタ付フレキシブルケーブル１の一方の端部のみを示し、他方の端部を省略した。
【００２６】
フレキシブルケーブル４には、例えば、２対の差動伝送路２０，２５を含む複数の伝送路が形成されている。なお、差動伝送路２０の構成と差動伝送路２５の構成とは、同一であるので、ここでは主として差動伝送路２０について説明する。差動伝送路２０は、一対のＤ１＋信号線２１とＤ１−信号線２２とを含んで構成されている。Ｄ１＋信号線２１には、第１コイル１１が直列に接続され、Ｄ１−信号線２２には、第２コイル１２が直列に接続されている。第２コイル１２は、フレキシブルケーブル４の厚さ方向から見た場合に、第１コイル１１と同一方向に巻回され、かつ、第１コイル１１と重なるように形成されている。
【００２７】
これらの第１コイル１１及び第２コイル１２が、コネクタ３０内に配設された一対の磁性部材１６ａ，１６ｂからなる磁性部材１６によって、フレキシブルケーブル４の厚さ方向から挟まれることにより、コモンモードチョークコイル６が構成される（図２，３参照）。
【００２８】
より詳細には、図４に示されるように、フレキシブルケーブル４は、例えば、帯状に形成された５枚の可撓性を有するフレキシブル基板（Ｆｌｅｘｉｂｌｅ  Ｐｒｉｎｔｅｄ  Ｃｉｒｃｕｉｔｓ、以下「ＦＰＣ」という）４１，４２，４３，４４，４５が積層されることにより形成されている。ＦＰＣ４１〜４５は、特許請求の範囲に記載の絶縁層に相当する。
【００２９】
最上層のＦＰＣ４１は、フレキシブルケーブル４の保護膜である。ＦＰＣ４１は、長手方向の長さが、下層のＦＰＣ４２に設けられた端子部５を後述するコネクタ端子５０に接続可能とするため、当該端子部５の長さ分、ＦＰＣ４２よりも短く形成されている。
【００３０】
ＦＰＣ４２の上面には、長手方向に延びる２本の差動伝送路２０，２５が形成されている。差動伝送路２０（差動伝送路２５）は、一対のＤ１＋信号線２１とＤ１−信号線２２（Ｄ２＋信号線２３とＤ２−信号線２４）とを含んで構成されている。ここで、差動伝送路２０（差動伝送路２５）は、特許請求の範囲に記載の伝送路に相当し、Ｄ１＋信号線２１（Ｄ２＋信号線２３）は、第１線路に相当し、Ｄ１−信号線２２（Ｄ２−信号線２４）は、第２線路に相当する。
【００３１】
ＦＰＣ４２の端部には、フレキシブルケーブル４の幅方向に並んで形成されたＤ１＋信号線２１の端子２１ａ、Ｄ１−信号線２２の端子２２ａ、Ｄ２＋信号線２３の端子２３ａ、及び、Ｄ２−信号線２４の端子２４ａを含む端子部５が形成されている。
【００３２】
ＦＰＣ４２の下層に設けられたＦＰＣ４３の上面には、渦巻き状コイルである第１コイル１１及び第３コイル１３がパターン形成されている。第１コイル１１（第３コイル１３）は、始端１１ａ（１３ａ）、コイル１１ｂ（１３ｂ）、終端１１ｃ（１３ｃ）から構成されている。そして、ＦＰＣ４２に設けられたＤ１＋信号線２１の端部２１ｂ（Ｄ２＋信号線２３の端部２３ｂ）と第１コイルの始端１１ａ（第３コイルの始端１３ａ）とが、ビアホールにより接続される。また、第１コイルの終端１１ｃ（第３コイルの終端１３ｃ）とＦＰＣ４２に設けられた端子２１ａ（端子２３ａ）とが、ビアホールにより接続される。
【００３３】
一方、ＦＰＣ４３の下層に設けられたＦＰＣ４４の上面には、渦巻き状コイルである第２コイル１２及び第４コイル１４が、パターン形成されている。第２コイル１２（第４コイル１４）は、始端１２ａ（１４ａ）、コイル１２ｂ（１４ｂ）、終端１２ｃ（１４ｃ）から構成されている。第２コイル１２（第４コイル２４）は、フレキシブルケーブル４の積層方向から見た場合に、第１コイル１１（第３コイル２３）と同一方向に巻回され、かつ、第１コイル１１（第３コイル２３）と重なるように形成されている。
【００３４】
ＦＰＣ４４の下層に設けられたＦＰＣ４５の上面には、中継パターン２２ｃ及び中継パターン２４ｃが、パターン形成されている。中継パターン２２ｃ（中継パターン２４ｃ）は、ＦＰＣ４２に設けられたＤ１−信号線２２の端部２２ｂ（Ｄ２−信号線２４の端部２４ｂ）及びＦＰＣ４４上に設けられた第２コイルの始端１２ａ（第４コイルの始端１４ａ）と、ビアホールにより接続される。一方、ＦＰＣ４４上に設けられた第２コイルの終端１２ｃ（第４コイルの終端１４ｃ）と、ＦＰＣ４２に設けられたＤ１−信号線２２の端子２２ａ（Ｄ１−信号線２２の端子２４ａ）とがビアホールにより接続される。
【００３５】
上述した構成により、Ｄ１＋信号線２１（Ｄ２＋信号線２３）には、端部２１ｂ（端部２３ｂ）と端子２１ａ（端子２３ａ）との間に第１コイル１１（第３コイル１３）が直列に接続される。また、Ｄ１−信号線２２（Ｄ２−信号線２４）には、端部２２ｂ（端部２４ｂ）と端子２２ａ（端子２４ａ）との間に第２コイル１２（第４コイル１４）が直列に接続される。
【００３６】
図２，３に示されるように、コネクタ３０は、主として、フレキシブルケーブル４に形成された端子部５と電気的に接続される複数のコネクタ端子５０と、複数のコネクタ端子５０が並んで設けられたハウジング３２と、ハウジング３２と対を成すハウジング３４と、ハウジング３２，３４それぞれに、互いに対向するように配設された一対の磁性部材１６ａ，１６ｂからなる磁性部材１６とを備えている。
【００３７】
ハウジング３２とハウジング３４とは、コネクタ３０の端部に設けられたヒンジ部３６を介して、開閉自在に接続されている。ハウジング３２，３４及びヒンジ部３６は、例えばナイロン６６等の絶縁性を有する樹脂で形成されることが好ましい。
【００３８】
複数のコネクタ端子５０それぞれは、差動伝送路２０，２５を構成するＤ１＋信号線の端子２１ａ、Ｄ１−信号線の端子２２ａ、Ｄ２＋信号線の端子２３ａ、及び、Ｄ２−信号線の端子２４ａそれぞれと接触して電気的に接続されるように、ハウジング３２の幅方向に並んで形成されている。ここで、コネクタ端子５０は、特許請求の範囲に記載の端子に相当する。
【００３９】
より詳細には、各コネクタ端子５０の一方の端部には、弾性を有する板バネ状に湾曲された板バネ接続部５０ａが形成されている。フレキシブルケーブル４にコネクタ３０が装着されると、各コネクタ端子５０の板バネ接続部５０ａが、端子部５を構成する端子２１ａ、端子２２ａ、端子２３ａ、及び、端子２４ａそれぞれに押接される。また、コネクタ端子５０の他方の端部には、接続端子部５０ｂが形成されており、該接続端子部５０ｂが基板６０に半田付け等によって接続されることにより、コネクタ３０が基板６０に実装される。
【００４０】
一方のハウジング３２の内面（下面）には、磁性部材１６を構成する一方の磁性部材１６ａが配設され、他方のハウジング３４の内面（上面）には、他方の磁性部材１６ｂが配設されている。一対の磁性部材１６ａ，１６ｂそれぞれは、矩形の板状に形成されており、フレキシブルケーブル４にコネクタ３０が装着されたときに、互いに対向して、第１コイル１１及び第２コイル１２をフレキシブルケーブル４の積層方向から挟んで覆うように、ハウジング３２，３４それぞれに配設されている。
【００４１】
磁性部材１６ａ，１６ｂの素材としては、透磁率μが高い磁性材が好ましく、例えば、Ｍｎ−Ｚｎ系フェライトやＮｉ−Ｚｎ系フェライト等のフェライト等が好適に用いられる。
【００４２】
また、一方の磁性部材１６ａとハウジング３２との間には、板バネ５６が配設されている。該磁性部材１６ａは、ハウジング３２の幅方向及び長さ方向には移動できないように拘束され、厚さ方向には移動可能に板バネ５６を介して保持されている。コネクタ３０を構成するハウジング３２とハウジング３４とが閉じられると、板バネ５６の変形に伴う弾性力によって、一方の磁性部材１６ａが、他方の磁性部材１６ｂに向けて付勢される。すなわち、板バネ５６は、特許請求の範囲に記載の弾性部材として機能する。なお、一対の磁性部材１６ａ，１６ｂそれぞれを平行に保持するための調整部材（例えばスペーサ等）をさらに備える構成としてもよい。
【００４３】
なお、上記板バネ５６に代えて、例えば、スプリングバネやゴム等の弾性部材を用いてもよい。また、一方の磁性部材１６ａと他方の磁性部材１６ｂとを密着させることができる場合には、板バネ５６を省略してもよい。
【００４４】
ハウジング３２とハウジング３４とが閉じられることにより、フレキシブルケーブル４にコネクタ３０が装着される。これにより、コネクタ３０の内部に配設された磁性部材１６によって、第１コイル１１（第３コイル１３）及び第２コイル１２（第４コイル１４）が、積層方向から挟まれて覆われることにより、コモンモードチョークコイル６（コモンモードチョークコイル８）が構築される。
【００４５】
コモンモードチョークコイル６，８のインピーダンスは、第１コイル１１（第３コイル１３）及び第２コイル１２（第４コイル１４）の巻数、コイルパターン形状、及び、磁性部材１６の透磁率μ等を変更することにより調整することができる。よって、接続される差動伝送路の特性インピーダンスに合わせて、コモンモードチョークコイル６，８のインピーダンスを調整することができる。
【００４６】
上述したように構成されることにより、コネクタ３０内において、差動伝送路２０，２５に、コモンモードチョークコイル６，８が組み込まれる。よって、差動伝送路２０，２５にコモンモード電流が流れた場合には、第１コイル１１、第３コイル１３及び第２コイル１２、第４コイル１４それぞれによって発生する磁束同士が強め合うことにより、インピーダンスが高くなる。そのため、フレキシブルケーブル４（差動伝送路２０，２５）を伝わるコモンモード成分が低減される。一方、差動信号が流れる場合には、第１コイル１１、第３コイル１３、及び第２コイル１２、第４コイル１４それぞれによって発生する磁束が互いに打消し合って相殺されるため、インピーダンスが低くなり、差動信号は影響を受けることなく伝達される。
【００４７】
本実施形態によれば、第１コイル１１（第３コイル１３）及び第２コイル１２（第４コイル１４）にコモンモード電流が流れた場合に、磁性部材１６（磁性部材１６ａ、１６ｂ）により形成される閉磁路に、互いに強め合う方向に磁束が発生する。すなわち、コネクタ３０が有する磁性部材１６によって、第１コイル１１（第３コイル１３）及び第２コイル１２（第４コイル１４）が挟まれることにより、コモンモードチョークコイル６（８）が形成される。このように、フレキシブルケーブル４の端部に取り付けられるコネクタ３０においてコモンモードチョークコイル６（８）が構成されるため、フレキシブルケーブル４の屈曲部分には、ランドを形成してコモンモードチョークコイルを実装する必要がない。その結果、フレキシブルケーブル４のフレキシブル性を損なうことなく、かつ、フレキシブルケーブル４のインピーダンス整合性を保つことが可能となる。
【００４８】
また、本実施形態によれば、上述したように、フレキシブルケーブル４の屈曲部分にランドを形成してコモンモードチョークコイルを実装する必要がないため、例えば、フレキシブルケーブル４が頻繁に屈曲されるような使用状況においても、該フレキシブルケーブルの耐久性が低下することを抑制できる。
【００４９】
本実施形態によれば、フレキシブルケーブル４の積層方向から見た場合に、第１コイル１１（第３コイル１３）と第２コイル１２（第４コイル１４）とが重なるように積層されるため、コモンモード電流が流れた場合に、第１コイル１１（第３コイル１３）及び第２コイル１２（第４コイル１４）それぞれに発生する磁束が効果的に強め合うこととなり、コモンモード成分をより低減することができる。また、コモンモードチョークコイル６（８）をコンパクトに形成することができる。
【００５０】
本実施形態によれば、コネクタ３０内に対向して配設された一対の板状の磁性部材１６ａ，１６ｂによって、第１コイル１１（第３コイル１３）と第２コイル１２（第４コイル１４）がフレキシブルケーブル４の積層方向から挟まれることにより、コネクタ３０内にコモンモードチョークコイル６（８）が形成される。そのため、コモンモードチョークコイル６（８）が内部に形成されたコネクタ３０をより薄型化することができる。
【００５１】
また、本実施形態によれば、複数の差動伝送路２０，２５が有する複数の第１コイル１１，第２コイル１２，第３コイル１３，第４コイル１４を、一対の板状の磁性部材１６ａ，１６ｂからなる単一の磁性部材１６で挟んで覆うことができる。よって、複数のコモンモードチョークコイル６，８を形成する場合であっても、コネクタ３０の構造をシンプルにすることが可能となる。
【００５２】
本実施形態によれば、ハウジング３２と磁性部材１６ａとの間に設けられた板バネ５６により、一方の磁性部材１６ａが他方の磁性部材１６ｂに向けて付勢されるため、一対の磁性部材１６ａ，１６ｂ間の隙間を小さくして互いに密着させることができる。そのため、実効透磁率を高めることができ、安定した閉磁路を形成することができる。よって、コモンモード成分の除去特性をより向上させることが可能となる。
【００５３】
また、本実施形態によれば、各コネクタ端子５０が、弾性を有するように形成された板バネ接続部５０ａを有し、該板バネ接続部５０ａによって、端子２１ａ、端子２２ａ、端子２３ａ、及び端子２４ａそれぞれに押接される。よって、フレキシブルケーブル４に設けられたＤ１＋信号線２１（端子２１ａ）、Ｄ１−信号線２２（端子２２ａ）、Ｄ２＋信号線２３（端子２３ａ）、及びＤ２−信号線２４（端子２４ａ）それぞれと、各コネクタ端子５０とを、より確実に電気的に接続することができ、かつ、フレキシブルケーブル４の抜けを防止することが可能となる。
【００５４】
以上、本発明の実施の形態について説明したが、本発明は、上記実施形態に限定されるものではなく種々の変形が可能である。例えば、コモンモードチョークコイル６（８）が組み込まれたコネクタ３０は、フレキシブルケーブル４の両端に装着されていてもよいし、一方の端部にのみ装着されていてもよい。なお、コネクタ３０が一方の端部に装着される場合には、他方のコネクタには、コモンモードチョークコイルが組み込まれていない従来のコネクタを用いることができる。
【００５５】
上記実施形態では、フレキシブルケーブル４に、２本の差動伝送路２０，２５が形成されている場合を例にして説明したが、差動伝送路の数は２本に限られない。
【００５６】
また、上記実施形態では、伝送路として、差動伝送路２０，２５を例にして説明したが、伝送路は、差動伝送路に限られることなく、例えば、電源線とグランド線とからなる電源路に適用することもできる。なお、電源路に適用する場合には、流れる電流が大きくなるため、電流値に応じてコイル巻線の線幅等を調整することが好ましい。
【００５７】
上記実施形態では、フレキシブルケーブル４を、５枚のＦＰＣ４１，４２，４３，４４，４５を積層することによって構成したが、フレキシブルケーブル４を構成するＦＰＣの数は５枚には限られない。また、第１コイル１１（第３コイル１３）及び第２コイル１２（第４コイル１４）を形成する部分のみ、複数枚のＦＰＣを積層する構成とすることもできる。
【００５８】
上記実施形態では、第２コイル１２が、フレキシブルケーブル４の積層方向から見た場合に、第１コイル１１と同一方向に巻回され、かつ、第１コイル１１と重なるように形成したが、第１コイル１１、第２コイル１２それぞれの巻回方向及び配置は、磁性部材１６に覆われることにより、コモンモードチョークコイルを形成できればよく、上記実施形態には限られない。
【００５９】
上記実施形態では、磁性部材１６（磁性部材１６ａ，１６ｂ）を矩形の板状に形成したが、磁性部材１６の形状は、第１コイル１１及び第２コイル１２を、覆うことができる形状であればよく、上記実施形態には限られない。なお、磁性部材１６（磁性部材１６ａ，１６ｂ）は、コモンモードチョークコイル６，８の磁路を成す部材であるため、通常は着磁する必要はないが、一対の磁性部材１６ａ、１６ｂ同士を密着させるために着磁してもよい。また、コネクタ３０（ハウジング３２，３４）の形状等も、上記実施形態には限られない。
【符号の説明】
【００６０】
１  コネクタ付フレキシブルケーブル
４  フレキシブルケーブル
５  端子部
６，８  コモンモードチョークコイル
１１  第１コイル
１２  第２コイル
１３  第３コイル
１４  第４コイル
１６，１６ａ，１６ｂ  磁性部材
２０，２５  差動伝送路
２１，２３  ＋信号線
２２，２４  −信号線
３０  コネクタ
３２，３４  ハウジング
４１，４２，４３，４４，４５  ＦＰＣ
５０  コネクタ端子
５０ａ  板バネ接続部
５６  板バネ
【図１】
2014143233.tif 000003
【図２】
2014143233.tif 000004
【図３】
2014143233.tif 000005
【図４】
2014143233.tif 000006